(57)【特許請求の範囲】
【請求項１】
本体部シートに対して開閉自在のドア部シートを有する防火シートシャッターにおいて、  該ドア部シートの戸先側は該本体部シートに重合していると共に、該ドア部シートおよび該本体部シートはそれぞれ上下方向に延出する端縁を備えており、該端縁間に避難用開口部を形成するように構成されており、  該ドア部シートと該本体部シートとの対向面の少なくとも一方の面には上下方向に延出する短幅長尺状の遮煙シートの幅方向一端側が装着されており、該遮煙シートの他端側は自由端であり、
遮煙シートと当該遮煙シートが装着されている面との間には、圧縮可能な材質からなる気密スペーサが介装されており、遮煙シートの他端側部位が、当該遮煙シートが装着されている面と対向する面に当接するように構成されていることを特徴とする防火シートシャッターのシート構造。
【請求項２】
請求項１において、該遮煙シート及び該気密スペーサは、該ドア部シートと該本体部シートとの対向面の両方に互いに対向しないように位置をずらして設けてあることを特徴とする防火シートシャッターのシート構造。
【請求項３】
請求項１，２いずれかにおいて、一方のシートにおいて、他方のシートの端縁に対向する部位には形状記憶合金を介して遮炎シートが装着されており、常時は該遮炎シートは装着されているシートに沿って延出しており、高温時には、該形状記憶合金の形状変形によって起立するように構成されていることを特徴とする防火シートシャッターのシート構造。
【請求項４】
請求項１，２いずれかにおいて、一方のシートにおいて、他方のシートの端縁に対向する部位には形状記憶合金を介して遮炎シートが装着されており、常時は該遮炎シートは装着されているシートに沿って延出しており、高温時には、該形状記憶合金の形状変形によって対向するシートに重合するように折り返されることを特徴とする防火シートシャッターのシート構造。
【発明の詳細な説明】
【０００１】
【発明の属する技術分野】
本発明は、防火シートシャッターに関するものである。
【０００２】
【従来の技術】
防火シートシャッターの避難用開口部は、シート体を重合させることで形成している。具体的には、シャッターカーテンを本体部シートとドア部シートとから構成し、ドア部シートの戸先側が本体部シートに重合するように構成される。常時は、本体部シートとドア部シートとが重合することで、両者の間に連通空間が生じないようになっており、避難時にはドア部シートを開放させて避難開口部を形成する。
【０００３】
しかしながら、防火シートシャッターにおいては、使用している材料がシートであるという性質上、火災時の温度差や圧力差によりシートが変形し、重合部に隙間が生じるため、そこから炎や煙が漏れる恐れがあった。
【０００４】
【発明が解決しようとする課題】
本発明は、かかる不具合を解決するべく創案されたものであって、避難用開口部の重合部に隙間が生じることを可及的に防止することを目的とするものである。
【０００５】
【課題を解決するための手段】
かかる課題を達成するために本発明が採用した技術手段は、本体部シートに対して開閉自在のドア部シートを有する防火シートシャッターにおいて、該ドア部シートの戸先側は該本体部シートに重合していると共に、該ドア部シートおよび該本体部シートはそれぞれ上下方向に延出する端縁を備えており、該端縁間に避難用開口部を形成するように構成されており、該ドア部シートと該本体部シートとの対向面の少なくとも一方の面には上下方向に延出する短幅長尺状の遮煙シートの幅方向一端側が装着されており、該遮煙シートの他端側は自由端であり、遮煙シートと当該遮煙シートが装着されている面との間には、圧縮可能な材質からなる気密スペーサが介装されており、遮煙シートの他端側部位が、当該遮煙シートが装着されている面と対向する面に当接するように構成されていることを特徴とする。
【０００６】
好ましくは、該遮煙シート及び該気密スペーサは、該ドア部シートと該本体部シートとの対向面の両方に互いに対向しないように位置をずらして設けてある。こうすることで、重合部において、遮煙シートはそれぞれドア部シート、本体部シートにいわゆる相じゃくり状に設けられることになり、進入口側と被進入口側との間に連通孔が形成されにくい。
【０００７】
さらに好ましくは、一方のシートにおいて、他方のシートの端縁に対向する部位には形状記憶合金を介して遮炎シートが装着されており、常時は該遮炎シートは装着されているシートに沿って延出しており、高温時には、該形状記憶合金の形状変形によって起立するように構成されている。あるいは、高温時には、該形状記憶合金の形状変形によって対向するシートに重合状に折り返されるように構成されている。
【０００８】
【発明の実施の形態】
本発明の実施の形態を図面に基づいて説明する。先ず、防火シートシャッターについて図１に基づいて説明するが、図１は防火シートシャッターの全体構成を説明するための図であり、図２乃至図４に示す構成は図１では省略されている。建物内部の防火区画部位の上方には左右方向に延出する巻取シャフト１が軸架されており、該部位の左右の壁面には耐火シートからなるスクリーン２の幅方向端部を案内するガイドレール３が対向状に立設されている。
【０００９】
スクリーン２は、第一シート体４と第二シート体５とから構成されている。第一シート体４、第二シート体５は共に、幅方向に延出する複数の単位シートをそれぞれの上下端縁同士を重合させて縫着して上下方向に連設することで形成されている。第一シート体４は、建物開口部の寸法に対応する方形状のシートの正面視右側部位を下端から上方に向かって長方形状に切り欠くことで形成されている。
【００１０】
第二シート体５は、第一シート体４に対して、該長方形の切り欠き部を覆うように縫着されている。第二シート体５の上辺は第一シート体４の切り欠き部横辺に重合逢着されている。第一シート体４の一方の幅方向端部を形成する切り欠き部縦辺と、第二シート体の一方の幅方向端部を形成する縦辺とが重合されることで重合部位Ｏが形成されている。
【００１１】
スクリーン２の下端（すなわち、第一シート体４と第二シート体５の下端）には、開口幅全体に延出する座板６が設けてある。座板６は、立ち上がり部７とフラット部８とから略逆Ｔ形状の断面を有しており、立ち上がり部７を介してシート下端に連結され、開口部全閉時にはフラット部８の下面が床面に当接するようになっている。
【００１２】
第一シート体４、第二シート体５の下端は共に立ち上がり部７を介して座板６に装着されているが、第一シート体４の下辺が装着された座板の立ち上がり部７は、重合部位Ｏより幅方向に所定寸法だけフラット部８から分離されており、ウエイトバー９を構成している。すなわち、実施の形態のものでは、座板６は開口幅全体に延出するフラット部８とウエイトバー９に対応する部位を切り欠いてなる立ち上がり部７とから形成されており、第一シート体４の下端において重合部位Ｏより所定長にわたって設けられたウエイトバー９の下端は座板６とは独立している。ウエイトバー９は基端側に設けた板ばね１０を介して、第一シート体下端の座板の立ち上がり部７に回動自在（屈曲自在）に連結されている。一方、ウエイトバー９の戸先側（重合部位側）の端部は第二シート体５の下端の座板の立ち上がり部７に対して着脱自在に磁着されている。
【００１３】
上述したように、第一シート体４の下端部の一部は、座板６から独立したウエイトバー９が装着されることで自由端となっており、避難時には第一シート体４の重合部側を押しながら重合部位Ｏを戸先側として第一シート体４を開放させて脱出するように構成されている。すなわち第一シート体４の一部が扉スクリーンＤを形成するようになっている。扉スクリーンＤが形成された可動側シートをドア部シートと、可動側シートに対して不動側のシートを本体部シートと呼ぶのとすれば、図示のものでは、第一シート体４がドア部シート、第二シート体５が本体部シートとなる。尚、防火用スクリーンの構成は図示のものに限定されるものではなく、例えば、防火用スクリーンを幅方向端部同士を互いに重合させてなる二つのシート体から構成し、該重合部位を戸先側として一方のシート体を開放することで避難用開口部を形成してもよい。
【００１４】
扉スクリーンDの閉鎖時には、扉スクリーンDの戸先側部位にシート重合部Oが形成されており、扉スクリーンＤおよびシート重合部Ｏを形成する第一シート体４、第二シート体５はそれぞれ上下方向に延出する端縁４ａ，５ａを備えており、該端縁間に避難用開口部を形成するように構成されており、端縁４ａ，５ａには端縁の全長にわたって補強部Ａ，Ｂが形成されている。
【００１５】
図２は、重合部を示す部分平面図である。図２では、説明の便宜上、本体部シート１とドア部シート２を離して記載しているが、実際には図３、図４に示すように、両者は近接している。図２乃至図４に示すように、端縁４ａ，５ａには縦方向に補強部材としてのシートを巻き付けて袋状に縫製することで補強部Ａ，Ｂが形成されている。シートは上下方向に延出する長尺状のシートであり、これを幅方向に折り返して、端縁４ａ，５ａを表裏の両側から挟持するようにして縫着される。補強部Ａ，Ｂの下端はウエイトバー９、座板６の立ち上がり部７にそれぞれ連結されている。図示のものでは、補強部Ａ，Ｂは座板６の水平部８に至るまで下方に延出しており、立ち上がり状のウエイトバー９と磁着プレートの間に挟持されるか、あるいは座板６の立ち上がり部７に挟持される。
【００１６】
重合部Oにおいて、第一シート体４と第二シート体５の対向する面には、夫々の端部４ａ，５ａから所定寸法内側（端部から離隔した部位）に入った位置に、それぞれ遮煙シート１１ａ，１１ｂ、気密スペーサ１２ａ，１２ｂが設けてある。遮煙シート１１ａ，１１ｂは第一シート体および第二シート体と同一材質のシート材から形成されており、一方、気密スペーサ１２ａ，１２ｂは一つの好ましい態様ではウレタンフォームから形成されているが、ウレタンフォームに限らずシート巻取り時に圧縮可能な他の材質であってもよい。
【００１７】
気密スペーサ１２ａ，１２ｂはそれぞれ、遮煙シート１１ａ，１１ｂと第一シート体４、第二シート体５との間に介装されており、遮煙シート１１ａ，１１ｂと第一シート体４、第二シート体５との間に隙間を生じさせる、いわばスペーサとしての役割を有する。図示のものでは、気密スペーサ１２ａ，１２ｂは断面方形状の長尺材であり、第一シート体４、第二シート体５にそれぞれ固着されている。好ましくは、気密スペーサ１２ａ，１２ｂは第一シート体４，第二シート体５に沿って上下方向に延出する一体の長尺材であるが、上下方向に分割されていてもよい。
【００１８】
遮煙シート１１ａ，１１ｂは上下方向に延出する長尺材であると共に、所定の短幅を有しており、幅方向一端側が第一シート体４、第二シート体５にそれぞれ固着されており、他端側は自由端である。遮煙シート１１ａ，１１ｂは幅方向の長さの中間部位において気密スペーサ１２ａ，１２ｂにそれぞれ当接するようになっている。したがって、図３、図４に示すように、遮煙シート１２ａ，１２ｂの先端側部位が対向する第二シート体５，第一シート体４にそれぞれ当接するようになっている。図２乃至図４から明らかなように、重合部Oにおいて、遮煙シート１１ａ，１１ｂ、気密スペーサ１２ａ，１２ｂは対向しないように互いにずらして配設されており、いわゆる相じゃくり構造となっている。
【００１９】
第一シート体４、第二シート体５の対向面には、遮煙シート１１ａ，１１ｂ，気密スペーサ１２ａ，１２ｂが配設された部位からさらに内側（端部４ａ，５ａから離れていく側）には遮炎シート１３ａ，１３ｂがそれぞれ形状記憶合金１４ａ，１４ｂを介して装着されている。遮炎シート１３ａ，１３ｂは所定幅を有する長尺材である。遮炎シート１３ａ，１３ｂの幅方向基端部は、第一シート体４の第二シート体の端部に対向する部位、第二シート５の第一シート体４の端部に対向する部位に、形状記憶合金１４ａ，１４ｂを介して装着されており、重合部Oから離隔する方向に延出しており、先端側は自由端となっている。遮炎シート１３ａ，１３ｂ、また、補強部Ａ，Ｂを構成するシートはいずれも第一シート体および第二シート体と同一材質のシート材から形成されている。
【００２０】
遮煙シート１１ａ，１１ｂの作用について説明する。重合部Oにおいて、遮煙シート１１ａ，１１ｂはそれぞれ第一シート体４、第二シート体５に相じゃくり状に設けてあるので、第一シート体４と第二シート体５との間に隙間が生じても、進入口側と被進入口側との間に連通孔が形成されにくい。また、防火シートの片面に圧力がかかった場合には、いずれかの遮煙シート１１ａ，１１ｂが対向するシート５，４いずれかに密着して弁として機能する。
【００２１】
遮炎シート１３ａ，１３ｂの作用について説明する。遮炎シート１３ａ，１３ｂを第一シート体４、第二シート体５にそれぞれ連結する形状記憶合金１４ａ，１４ｂは常温では直線状であり（図３）、火災によって所定温度となると対向するシートに向かって折曲する（図４）ようになっており、形状記憶合金１４ａ，１４ｂの折曲に伴って遮炎シート１３ａ，１３ｂが起立する。したがって、第一シート体４と第二シート体５との間に隙間が生じても、進入口側と被進入口側との間に連通孔が形成されない。特に、気密スペーサ１２ａ，１２ｂは高温によって溶融されるため、火災後所定時間経過した後においては、遮煙シート１１ａ，１１ｂが働かなくなって、第一シート４と第二シート５との間に連通孔が生じ易くなる。この時、遮炎シート１３ａ，１３ｂは、第一シート４と第二シート５との間に連通孔を生じさせないという有用な役割を持つ。
【００２２】
図５（ａ），（ｂ）は、それぞれ他の実施の形態に係る遮炎シートを示す平面図であり、常時はシートに沿って延出する遮炎シートは第一シート体、第二シート体にそれぞれ重合状に折り返されるように構成されている。図５（ａ）のものでは、形状記憶合金１４０ａ，１４０ｂが所定の高温時にはコ字状に変態するようになっており、遮炎シート１３０ａ，１３０ｂの先端部側がそれぞれ第二シート体５、第一シート体４の端部に重合するようになっている。
図５（ｂ）のものでは、形状記憶合金１４１ａ，１４１ｂが所定の高温時には折り返し湾曲状に変態するようになっており、遮炎シート１３１ａ，１３１ｂの先端部側がそれぞれ第二シート体５、第一シート体４の端部に重合するようになっている。
【００２３】
【発明の効果】
以上述べたように、本発明によれば、避難用開口部の重合部に隙間が生じることを可及的に防止することができる。
【図面の簡単な説明】
【図１】（ａ）は防火シートシャッターの概略正面図、（ｂ）は図１（ａ）の平面図である。
【図２】第一シート体と第二シート体の重合部を示す部分平面図であり、説明の便宜上、第一シート体と第二シート体とを離して記載している。
【図３】常温時における、第一シート体と第二シート体の重合部を示す部分平面図である。
【図４】高温時における、第一シート体と第二シート体の重合部を示す部分平面図である。
【図５】（ａ），（ｂ）は共に高温時における、第一シート体と第二シート体の重合部を示す部分平面図であり、遮炎シートの他の実施の形態を示している。
【符号の説明】
４    第一シート体（ドア部シート）
５    第二シート体（本体部シート）
１１ａ，１１ｂ    遮煙シート
１２ａ，１２ｂ    気密スペーサ
１３ａ，１３ｂ    遮炎シート
１４ａ，１４ｂ    形状記憶合金
O      重合部
【図１】
0003799491.tif 000002
【図２】
0003799491.tif 000003
【図３】
0003799491.tif 000004
【図４】
0003799491.tif 000005
【図５】
0003799491.tif 000006